(57)【要約】【課題】戸の強度を框組みの場合よりも向上させて軽量化を図ることのできる折り戸を提供する。【解決手段】少なくとも上枠１０と左右の縦枠１１を有する枠体１内に納められ、枠体１に対し縦枠１１側端部で回動自在に支持される吊り元側戸３と、吊り元側戸３に対して回動自在な戸先側戸４とからなり、吊り元側戸３と戸先側戸４は、いずれもアルミの押出型材からなる断面中空状で上下方向に同一断面形状の一体成形板３ａ、４ａにより構成され、一体成形板３ａ、４ａの開閉内外にそれぞれ面する内外面部２１をくり抜いた開口部２０を備え、開口部２０からは一体成形板３ａ、４ａの中空内部に挿入されるパネル体２２が露出してなる。【選択図】図２
2010189985.tif 000002
【特許請求の範囲】
【請求項１】
少なくとも上枠と左右の縦枠を有する枠体内に納められ、該枠体に対し前記縦枠側端部で回動自在に支持される吊り元側戸と、該吊り元側戸に対して回動自在な戸先側戸とからなる折り戸において、
前記吊り元側戸と戸先側戸は、いずれもアルミの押出型材からなる断面中空状で上下方向に同一断面形状の一体成形板により構成され、該一体成形板の開閉内外にそれぞれ面する内外面部をくり抜いた開口部を備え、該開口部からは前記一体成形板の中空内部に挿入されるパネル体が露出してなることを特徴とする折り戸。
【請求項２】
前記吊り元側戸は、前記縦枠側の端部に前記内外面部の面間隔よりも大きい直径を有する断面円弧状の回動中心部を備え、前記戸先側戸と対向する端部に断面円弧状の軸構成部を備え、該軸構成部と回動中心部は、前記パネル体が納められる内外面部間の領域との間に仕切部を有してなることを特徴とする請求項１記載の折り戸。
【請求項３】
前記戸先側戸は前記吊り元側戸の軸構成部と対向する端部に断面中空状のヒンジ構成部を備え、該ヒンジ構成部と反対側の端部に断面中空状の戸先部を備え、該戸先部とヒンジ構成部は、前記パネル体が納められる内外面部間の領域との間に仕切部を有してなることを特徴とする請求項１または２記載の折り戸。
【発明の詳細な説明】
【技術分野】
【０００１】
本発明は、建物の出入り口や建物内に設けられ手動または電動で開閉可能な折り戸に関し、特に戸を構成する吊り元側戸と戸先側戸とがアルミの押出型材からなる一体成形板により形成された折り戸に関する。
【背景技術】
【０００２】
従来、建物の出入り口や建物内に配置される折り戸が知られている。折り戸は、少なくとも上枠と縦枠を有する枠体内に納められ、縦枠側の端部で回動自在に支持される吊り元側戸と、吊り元側戸に対して回動自在な戸先側戸とからなる戸が、左右対称に設けられてなるものである。折り戸は、閉じた状態で吊り元側戸と戸先側戸とが一直線状となり、戸を開くことで戸先側戸が吊り元側戸に対して回動すると共に、吊り元側戸が枠体に対して回動し、両者が折り畳まれた状態となることで戸が全開状態となる。
【０００３】
このような折り戸は、手動で開閉させるようにすることもできるし、あるいは折り戸が納まる上枠内にモーター等の駆動部を設け、戸先側戸を駆動することによって開閉させるようにすることもできる。このような折り戸としては、例えば特許文献１に挙げるようなものがある。
【先行技術文献】
【特許文献】
【０００４】
【特許文献１】特開２０００−３５６０７１号公報
【発明の概要】
【発明が解決しようとする課題】
【０００５】
従来の折り戸は、戸を構成する吊り元側戸と戸先側戸が、それぞれ框組みされることによって形成されていた。すなわち、上框と下框及び左右の縦框をそれぞれ用意し、これらを方形状に框組みすると共に、内部にガラス板等のパネル体を設けて吊り元側戸及び戸先側戸を形成していた。
【０００６】
しかし、このように各戸を框組みにより形成すると、戸の強度を確保するために各框の強度を大きくする必要がある。したがって、框の断面形状を大きくしたり、肉厚を大きくしたり、あるいは框の内部に補強材を設けるなどする必要があった。これにより、戸の重量が大きくなっていた。
【０００７】
戸の重量が大きいと、特に折り戸を電動で開閉する場合に、大型のモーターが必要となってコストアップを招き、また折り戸の開閉スピードを大きくできないといった問題があった。また、手動の場合であっても、戸の重量が大きいと、開閉し辛いといった問題があった。
【０００８】
本発明は前記課題を鑑みてなされたものであり、戸の強度を框組みの場合よりも向上させて軽量化を図ることのできる折り戸を提供することを目的とする。
【課題を解決するための手段】
【０００９】
前記課題を解決するため、本発明に係る折り戸は、少なくとも上枠と左右の縦枠を有する枠体内に納められ、該枠体に対し前記縦枠側端部で回動自在に支持される吊り元側戸と、該吊り元側戸に対して回動自在な戸先側戸とからなる折り戸において、
前記吊り元側戸と戸先側戸は、いずれもアルミの押出型材からなる断面中空状で上下方向に同一断面形状の一体成形板により構成され、該一体成形板の開閉内外にそれぞれ面する内外面部をくり抜いた開口部を備え、該開口部からは前記一体成形板の中空内部に挿入されるパネル体が露出してなることを特徴として構成されている。
【００１０】
また、本発明に係る折り戸は、前記吊り元側戸は、前記縦枠側の端部に前記内外面部の面間隔よりも大きい直径を有する断面円弧状の回動中心部を備え、前記戸先側戸と対向する端部に断面円弧状の軸構成部を備え、該軸構成部と回動中心部は、前記パネル体が納められる内外面部間の領域との間に仕切部を有してなることを特徴として構成されている。
【００１１】
さらに、本発明に係る折り戸は、前記戸先側戸は前記吊り元側戸の軸構成部と対向する端部に断面中空状のヒンジ構成部を備え、該ヒンジ構成部と反対側の端部に断面中空状の戸先部を備え、該戸先部とヒンジ構成部は、前記パネル体が納められる内外面部間の領域との間に仕切部を有してなることを特徴として構成されている。
【発明の効果】
【００１２】
本発明に係る折り戸によれば、吊り元側戸と戸先側戸は、いずれもアルミの押出型材からなる断面中空状で上下方向に同一断面形状の一体成形板により構成され、一体成形板の開閉内外にそれぞれ面する内外面部をくり抜いた開口部を備え、開口部からは一体成形板の中空内部に挿入されるパネル体が露出してなることにより、框組みして戸を構成する場合に比べて強度を大きくすることができ、したがって折り戸の軽量化を図ることができる。これにより、駆動するモーターを小型化してコストダウンを図ることができ、また折り戸の開閉スピードも速くして、時間あたりの通過人数を多くすることができる。さらには、軽量化によって折り戸の開閉時における安全性も高くすることができる。
【００１３】
また、本発明に係る折り戸によれば、吊り元側戸は、縦枠側の端部に内外面部の面間隔よりも大きい直径を有する断面円弧状の回動中心部を備え、戸先側戸と対向する端部に断面円弧状の軸構成部を備え、軸構成部と回動中心部は、パネル体が納められる内外面部間の領域との間に仕切部を有してなることにより、重量化を抑えつつ吊り元側戸の強度をより大きくすることができる。
【００１４】
さらに、本発明に係る折り戸によれば、戸先側戸は吊り元側戸の軸構成部と対向する端部に断面中空状のヒンジ構成部を備え、ヒンジ構成部と反対側の端部に断面中空状の戸先部を備え、戸先部とヒンジ構成部は、パネル体が納められる内外面部間の領域との間に仕切部を有してなることにより、重量化を抑えつつ戸先側戸の強度をより大きくすることができる。
【図面の簡単な説明】
【００１５】
【図１】本実施形態における折り戸を有する開閉装置の正面図である。
【図２】図１のＡ−Ａ断面図のうち略左半分について示した図である。
【図３】一体成形板の上端面を覆う折り戸支持体の平面図である。
【図４】折り戸支持体と折り戸の分解斜視図である。
【図５】折り戸支持体を折り戸の上端部に取付けた状態の斜視図である。
【発明を実施するための形態】
【００１６】
本発明の実施形態について図面に沿って詳細に説明する。図１には、本実施形態における折り戸を有する開閉装置の正面図を示している。この図に示すように、開閉装置は、上枠１０と左右の縦枠１１からなる枠体１内に２枚の折り戸２が左右対称に納められて構成されており、折り戸２は、いずれも左右方向に折れ曲がりながら縦枠１１側にスライドし、開閉することができる。
【００１７】
左右の折り戸２は、いずれも縦枠１１側に配置される吊り元側戸３と、対向する折り戸２側に配置される戸先側戸４からなり、吊り元側戸３は枠体１に対して縦枠１１側上下端部を中心に回動自在とされており、一方で戸先側戸４は吊り元側戸３側の上下辺を軸に、吊り元側戸３に対して回動自在とされている。
【００１８】
また、上枠１０内にはモーター（図示しない）により駆動される駆動部１２が長手方向にスライド自在となるように配置されており、戸先側戸４の上端と駆動部１２が連係している。駆動部１２がモーターにより上枠１０の長手方向に駆動されることにより、戸先側戸４が吊り元側戸３に対して回動し折り戸２が折り畳まれつつ、縦枠１１側に移動して折り戸２が開放状態となる。
【００１９】
折り戸２の下辺は建物の床面５と対向していて、枠が設けられていない。折り戸２の下端は支軸６５によって支持されており、この支軸６５は床面５に埋め込まれるように設けられる。
【００２０】
折り戸２を構成する吊り元側戸３と戸先側戸４は、それぞれアルミの押出型材からなる一体成形板３ａ、４ａによって構成されている。これらの一体成形板３ａ、４ａは、上下方向に沿って同一断面形状を有してなり、アルミ材の押出成形により一体的に形成されたものである。一体成形板３ａ、４ａには、それぞれ縦方向に複数の開口部２０が形成されており、これらの開口部２０は一体成形板３ａ、４ａをくり抜くことによって形成される。
【００２１】
また、吊り元側戸３と戸先側戸４は、いずれも断面中空状となるように形成されており、一体成形板３ａ、４ａのうち開口部２０を有する領域はそれぞれ開閉内外に向かって面する内外面部２１とされ、その中空内部にはガラス板からなるパネル体２２が納められる。そして、このパネル体２２は開口部２０から外部に露出する。
【００２２】
図２には、図１のＡ−Ａ断面図のうち略左半分について示している。この図において折り戸２よりも下側を内側と、折り戸２よりも上側を外側と、便宜的に称する。図２に示すように、吊り元側戸３と戸先側戸４は、いずれも複数の領域を有する断面中空状に形成されている。
【００２３】
吊り元側戸３は、中央部にパネル体２２を納め開口部２０を有する内外面部２１を有し、内外面部２１の縦枠１１側には、内外面部２１の面間隔よりも大きい直径を有する断面円弧状の回動中心部３０を有している。回動中心部３０は、縦枠１１の内周面に形成される回動対向部１１ａと対向し、回動対向部１１ａに設けられるモヘア材１１ｂが周面に当接する。
【００２４】
また、内外面部２１の戸先側戸４側には、断面円弧状の軸構成部３１を有している。軸構成部３１は、内外面部２１よりも内側に偏るように形成されている。これにより、折り戸２が開くため戸先側戸４が駆動された際に、戸先側戸４の回動中心を内外方向にずらすことにより、折り戸２が突っ張り状態となることを防止することができる。
【００２５】
吊り元側戸３において、内外面部２１と回動中心部３０は、仕切部３２によって別領域となるように形成されている。また、内外面部２１と軸構成部３１も、仕切部３３によって別領域となるように形成されている。これにより、内外面部２１内に納められるパネル体２２を確実に位置決めできると共に、吊り元側戸３の強度を大きくすることができる。また、回動中心部３０には、ビスホール３４、３５が形成され、軸構成部３１にも、ビスホール３６が形成される。
【００２６】
戸先側戸４は、中央部にパネル体２２を納め開口部２０を有する内外面部２１を有している点は、吊り元側戸３と同様である。内外面部２１の吊り元側戸３側には、断面中空状のヒンジ構成部４０を有し、内外面部２１の対向する折り戸２側には、断面中空状の戸先部４１を有している。
【００２７】
ヒンジ構成部４０は、吊り元側戸３に対向する面が、軸構成部３１の周面に沿うように形成されると共に、モヘア材４０ｃを保持可能な保持部４０ａ、４０ｂが２箇所に形成されている。本実施形態においてモヘア材４０ｃは内側の保持部４０ａに保持されているが、外側の保持部４０ｂに保持させてもよい。
【００２８】
戸先部４１には、対向する折り戸２との気密性を保持するための気密材４２が設けられる。気密材４２は、対向する折り戸２側にも設けられており、折り戸２が閉じた状態でこれらが互いに圧接することにより、気密性の確保が図られている。また、戸先部４１及び気密材４２は、戸先側戸４の内外面部２１よりも内側に偏るように形成されている。これにより、後述するように折り戸２が開いた際における開口幅を大きくすることができる。
【００２９】
戸先側戸４において、内外面部２１とヒンジ構成部４０は、仕切部４３により別領域となるように形成されている。また、内外面部２１と戸先部４１も、仕切部４４によって別領域となるように形成されている。これにより、内外面部２１内に納められるパネル体２２を確実に位置決めできると共に、戸先側戸４の強度を大きくすることができる。また、ヒンジ構成部４０にはビスホール４５が形成され、戸先部４１にもビスホール４６が形成される。
【００３０】
このように、折り戸２が一体成形板３ａからなる吊り元側戸３と、一体成形板４ａからなる戸先側戸４とからなり、各一体成形板３ａ、４ａには開口部２０を設けて中空内部に挿入されたパネル体２２を露出させるようにしたことで、框組みして戸を構成する場合に比べて強度を大きくすることができ、したがって折り戸２の軽量化を図ることができる。これにより、駆動するモーターを小型化してコストダウンを図ることができ、また折り戸２の開閉スピードも速くして、時間あたりの通過人数を多くすることができる。さらには、軽量化によって折り戸２の開閉時における安全性も高くすることができる。
【００３１】
次に、折り戸２の支持構造について説明する。折り戸２に対しては、一体成形板３ａ、４ａの上端面と下端面をそれぞれ覆うように折り戸支持体５０が設けられ、この折り戸支持体５０と一体成形板３ａ、４ａの連係により折り戸２が支持されると共に、回動可能となるようにしている。図３には、一体成形板３ａ、４ａの上端面を覆う折り戸支持体５０の平面図を示している。
【００３２】
図３に示すように、折り戸支持体５０は、吊り元側戸３の上端面に略適合する形状を有した吊り元側部材５１と、戸先側戸４の上端面に略適合する形状を有した戸先側部材５２とで構成されている。
【００３３】
吊り元側部材５１は、吊り元側戸３の回動中心部３０の上面に略適合する吊り元側部５１ａと、吊り元側戸３の軸構成部３１の上面に略適合する軸側部５１ｂと、吊り元側戸３の内外面部２１の中空内部に挿入自在な内外面部挿入部５１ｃとからなっている。
【００３４】
戸先側部材５２は、吊り元側部材５１の軸側部５１ｂと略同じ形状であって、これと重なり合う軸受け部５２ａと、戸先側戸４の内外面部２１の中空内部に挿入自在な内外面部挿入部５２ｂとからなっている。戸先側部材５２の内外面部挿入部５２ｂには、上枠１０においてモーターにより駆動される駆動部１２が固定される。ここで、駆動部１２の固定位置は、戸先側部材５２の先端よりも中央寄りとなるように設定される。
【００３５】
図４には、折り戸支持体５０と折り戸２の分解斜視図を示している。この図に示すように、吊り元側部材５１の吊り元側部５１ａには、貫通孔状の支軸挿入部５３が形成されている。支軸挿入部５３には、上枠１０に設けられる回転自在な支持軸（図示しない）が挿入され、吊り元側戸３を上枠１０に対して回動自在とする。
【００３６】
また、吊り元側部材５１の軸側部５１ｂには下面に軸部５４が突出状に形成されている。一方、戸先側部材５２の軸受け部５２ａには、吊り元側部材５１の軸部５４を挿入自在な軸挿入部５５が形成されている。軸部５４を軸挿入部５５に挿入することで、吊り元側部材５１と戸先側部材５２が互いに回動自在となる。
【００３７】
折り戸２の上端部は、折り戸支持体５０を取付けられるように一部が切り欠かれている。吊り元側戸３については、回動中心部３０が上端面から吊り元側部材５１の吊り元側部５１ａの厚み分の深さで切り欠かれている。また、軸構成部３１が上端面から吊り元側部材５１の軸側部５１ｂと戸先側部材５２の軸受け部５２ａを合わせた厚み分の深さで切り欠かれている。戸先側戸４については、内外に露出する面は切り欠かれないが、ヒンジ構成部４０の軸構成部３１と対向する面と仕切部４３、４４が、軸構成部３１の切欠深さと同じ深さで切り欠かれている。
【００３８】
図５には、折り戸支持体５０を折り戸２の上端部に取付けた状態の斜視図を示している。この図に示すように、吊り元側部材５１の吊り元側部５１ａは、切り欠かれた吊り元側戸３の回動中心部３０に納まるように配置され、内外面部挿入部５１ｃは内外面部２１の両面間に納まり、軸側部５１ｂと戸先側部材５２の軸受け部５２ａが重なり合って吊り元側戸３の軸構成部３１に納まる。さらに、戸先側部材５２は戸先側戸４の中空内部に納められる。
【００３９】
また、吊り元側部材５１と戸先側部材５２には、それぞれ吊り元側戸３のビスホール３４、３５、３６と戸先側戸４のビスホール４５、４６に対応して、ビス挿通孔６０、６１、６２、６３、６４が形成されており、これらにビスが挿通されることで、折り戸２と折り戸支持体５０とが連結固定される。
【００４０】
本発明の折り戸２は、一体成形板３ａ、４ａによって吊り元側戸３及び戸先側戸４が形成されているため、上下端面が開放状となっている。ここに折り戸支持体５０を挿入固定し、各戸を回動自在となるようにしたことで、簡易な構造で一体成形板を回動自在に支持することができる。
【００４１】
また、ここでは折り戸２の上端に設けられる折り戸支持体５０について説明したが、折り戸２の下端に設けられる折り戸支持体も同様の構成からなるものである。ただし、駆動部１２で駆動されるのは折り戸２の上端側のみであって、下端側には駆動部１２は設けられない。また、折り戸２の下側に設けられる折り戸支持体５０の吊り元側部材５１は、図１に示す支軸６５に対し回動自在に支持される。
【００４２】
次に、折り戸２の開閉動作について説明する。図２には、破線で折り戸２の開閉途中及び全開状態が示されている。折り戸２は、前述のように戸先側戸４において駆動部１２と連係しており、駆動部１２は上枠１０の長手方向にスライドする。これに伴い、戸先側戸４は吊り元側戸３に対して回動し、かつ吊り元側戸３は回動中心部３０を中心に回動して、折り戸２は図中Ａ、Ｂの順に移動し、最終的には図中Ｃの位置で全開状態となる。
【００４３】
折り戸２の移動において、戸先側端部は、駆動部１２による連係位置が戸先側戸４の先端部よりも中央寄りに配置されているため、図２の内外方向内側寄りの軌跡を描くこととなる。したがって、折り戸２の内外方向外側端部が描く軌跡が、内側寄りとなり、折り戸２の開閉時において、外側から近づいてきた人が折り戸２により近づくことができる。
【００４４】
また、前述のように、戸先端部に設けられる気密材４２は、折り戸２の閉状態において図２の内側に偏るように形成されている。これにより、図２においてＣの位置である折り戸２の全開状態において、気密材４２が外側寄りに偏ることとなり、折り戸２による開口幅を大きくすることができる。
【００４５】
以上、本発明の実施形態について説明したが、本発明の適用は本実施形態には限られず、その技術的思想の範囲内において様々に適用されうるものである。例えば、本実施形態において折り戸２は、モーターにより駆動されて自動的に開閉できるように構成したが、手動で開閉するものであってもよい。
【符号の説明】
【００４６】
１    枠体
２    折り戸
３    吊り元側戸
３ａ  一体成形板
４    戸先側戸
４ａ  一体成形板
１０    上枠
１１    縦枠
１２    駆動部
２０    開口部
２１    内外面部
２２    パネル体
３０    回動中心部
３１    軸構成部
４０    ヒンジ構成部
４１    戸先
４２    気密材
５０    折り戸支持体
５１    吊り元側部材
５１ａ  吊り元側部
５１ｂ  軸側部
５１ｃ  内外面部挿入部
５２    戸先側部材
５２ａ  軸受け部
５２ｂ  内外面部挿入部
５３    支軸挿入部
５４    軸部
５５    軸挿入孔
【図１】
2010189985.tif 000003
【図２】
2010189985.tif 000004
【図３】
2010189985.tif 000005
【図４】
2010189985.tif 000006
【図５】
2010189985.tif 000007